(57)【要約】  オーバーベッドテーブル（１０、５１０、７１０）などの品物支持装置は、例えば、支持面組立体（１４、５１４、７１４）、ベース組立体、ならびに支持面（１４、５１４、７１４）およびベース（１２、５１２、７１２）組立体のそれぞれに結合された垂直柱（４０、５４０）を含む。側部組立体（１６、５１６、７１６）は、ベース組立体（１２、５１２、７１２）に結合され、支持面組立体（１４、５１４、７１４）がベース組立体（１２、５１２、７１２）に対して上方および下方に移動する間、静止した状態となるように構成されている。オーバーベッドテーブル（１０、５１０、７１０）は、支持面組立体（１４、５１４、７１４）に結合され、着脱式の手指消毒剤容器ユニットを受けるように構成された手指消毒剤容器（２８、５２８、８２８、９２８、１０２８）をさらに含みうる。ベース組立体（１２、５１２、７１２）は、体重をかけることで作動するキャスター（３９）を含みうる。他の実施態様も開示されている。
2011524206.tif 000002
【特許請求の範囲】
【請求項１】
ベース組立体と、
前記ベース組立体に結合され、前記ベース組立体に対して上方および下方に移動するように構成された垂直支柱と、
前記垂直支柱に結合され、その上に品物が配置されるよう構成された支持面組立体と、
前記ベース組立体に結合され、前記支持面組立体に隣接して配置される側部組立体とを含み、
前記支持面組立体は、前記垂直支柱とともに、前記ベースおよび前記側部組立体の両方に対して上方および下方に移動するよう構成される、
オーバーベッドテーブル。
【請求項２】
前記側部組立体は、側部支持面および前記側部支持面に結合された収納用ビンを含む、請求項１に記載のオーバーベッドテーブル。
【請求項３】
前記側部組立体は、側面と、前記側面と前記ベース組立体の間に結合され、延在する支持柱とをさらに含み、前記支持柱は、前記垂直支柱と平行であり、前記垂直支柱から離間している、請求項１に記載のオーバーベッドテーブル。
【請求項４】
前記支持面組立体は、
その上に品物が配置されるよう構成されたテーブル天板と、
前記テーブル天板に結合され前記テーブル天板の近接端に隣接して配置される第一の収納部と、
前記テーブル天板に結合され前記テーブル天板の遠位端に隣接して配置される第二の収納部とを含む、請求項１に記載のオーバーベッドテーブル。
【請求項５】
前記第一の収納部は、その中に形成された複数の開いた収納受け部を含み、第二の収納部は、カップホルダーおよび容器を含む、請求項４に記載のオーバーベッドテーブル。
【請求項６】
前記支持面組立体は、他のテーブル天板を含み、さらに、前記テーブル天板は、互いに対して、並びに、第一および第二の収納部に対して移動可能である、請求項４に記載のオーバーベッドテーブル。
【請求項７】
前記ベース組立体は、第一の細長い足、および前記第一の細長い足から離間した第二の細長い足を画成するよう略Ｕ字型である、請求項１に記載のオーバーベッドテーブル。
【請求項８】
前記各第一および第二の細長い足の遠位端は、前記各第一および第二の細長い足の近接端よりも離れて離間している、請求項７に記載のオーバーベッドテーブル。
【請求項９】
ベース組立体と、
前記ベース組立体に結合され、前記ベース組立体に対して上方および下方に移動するように構成された垂直支柱と、
前記垂直支柱に結合され、前記ベース組立体に対して上方および下方に前記垂直支柱と共に移動するように構成された支持面組立体とを含み、
前記支持面組立体は、その上に品物が配置されるよう構成されたテーブル天板と、前記テーブル天板の近接端に隣接して配置される第一の収納部と、テーブル上部の遠位端に隣接して配置される第二の収納部とを含む、
オーバーベッドテーブル。
【請求項１０】
前記第二の収納部はカップホルダーを含み、前記第一の収納容器はその内部に手指消毒剤容器ユニットを受け容れるよう構成された窪み部を含む、請求項９に記載のオーバーベッドテーブル。
【請求項１１】
前記第一の収納部は、前記容器を前記窪み部の中にロックするよう構成されたロック部をさらに含む、請求項１０に記載のオーバーベッドテーブル。
【請求項１２】
前記第一の収納部が前記側部組立体と前記テーブル天板との間に配置されるよう前記垂直支柱に隣接して配置される側部組立体をさらに備える、請求項９に記載のオーバーベッドテーブル。
【請求項１３】
前記支持面組立体は、抗菌剤を含む少なくとも一つのヒューマン・インターフェース部を含む、請求項９に記載のオーバーベッドテーブル。
【請求項１４】
前記ヒューマン・インターフェース部は、ハンドル、レバー、ボタン、ラッチ、およびグリップ部のうち少なくとも一つを含み、前記抗菌剤は金属および金属化合物のうち少なくとも一つを含む、請求項１５に記載のオーバーベッドテーブル。
【請求項１５】
前記ベース組立体は、少なくとも一つのホイール、および所定量の重さが前記支持面組立体にかかると前記ホイールをロックするように構成された少なくとも一つのロック機構を含む、請求項９に記載のオーバーベッドテーブル。
【請求項１６】
前記ロック機構は、前記支持面組立体に所定量の重さがかかったときに前記ホイールの動き抵抗するよう前記ホイールの少なくとも二つの側面に摩擦係合するよう構成される、請求項１５に記載のオーバーベッドテーブル。
【請求項１７】
前記第一および第二の収納部のうち一方は、収納位置から使用位置へと移動可能なミラーを含む、請求項９に記載のオーバーベッドテーブル。
【請求項１８】
前記支持面組立体は、他のテーブル天板部と、前記テーブル天板部が同じ方向に移動するのを防止するように構成されたロック機構とを含み、前記ロック機構は、前記支持面組立体のプラットホームに旋回可能に結合された略三角形の部材を含む、請求項９に記載のオーバーベッドテーブル。
【請求項１９】
前記支持面組立体は、前記オーバーベッドテーブルの操作のために使用者が触れるように構成された少なくとも一つのヒューマン・インターフェース部を含み、前記少なくとも一つのヒューマン・インターフェース部は、それを前記ヒューマン・インターフェース部として識別する視覚標識を含む、請求項９に記載のオーバーベッドテーブル。
【請求項２０】
前記視覚標識は、浮き出し文字および／または点字を含む、請求項１９に記載の装置。
【請求項２１】
前記支持面組立体は、その中に着脱式の手指消毒剤容器ユニットを受け容れるように構成された手指消毒剤容器ハウジングを含む、請求項９に記載のオーバーベッドテーブル。
【請求項２２】
前記ハウジングは、前記第一および第二の収納部のうちの一つと一体に形成され、その中に前記手指消毒剤容器ユニットを受け容れるように構成されたスロットを含む、請求項２１に記載のオーバーベッドテーブル。
【請求項２３】
前記ハウジングは、前記手指消毒剤容器ユニットと接するように構成された少なくとも一つの側壁を含む、請求項２１に記載のオーバーベッドテーブル。
【請求項２４】
前記ハウジングは、その中に前記ユニットを摩擦によって保持するような寸法とされる、請求項２１に記載のオーバーベッドテーブル。
【請求項２５】
前記ハウジングは、前記ユニットを前記ハウジング内にロックするように構成されたロック部を含む、請求項２１に記載のオーバーベッドテーブル。
【請求項２６】
患者支持装置に隣接して支持面を配置するように構成されたベース組立体を含み、前記支持面組立体は前記ベース組立体に結合され、
前記支持面組立体はその上に品物を支持するよう構成され、前記支持面組立体は前記ベース組立体が前記患者支持装置に隣接しているときに前記患者支持装置の上に配置可能であるよう構成され、前記支持面組立体は、
（ｉ）一対の可動テーブル天板部と、
（ｉｉ）前記テーブル天板部のうちの一方の第一の方向への移動を、前記テーブル天板部のうちの他方が前記第一の方向に移動されていた場合には、防止するように構成されたロック機構とを含む、
オーバーベッドテーブル。
【請求項２７】
前記ロック機構はピボット機構を含む、請求項２６に記載のオーバーベッドテーブル。
【請求項２８】
前記ピボット機構は前記支持面組立体のプラットホームに旋回可能に結合される略三角形の部材を含む、請求項２７に記載のオーバーベッドテーブル。
【請求項２９】
前記プラットホームは前記一対の移動可能なテーブル天板部の下に配置される、請求項２８に記載のオーバーベッドテーブル。
【請求項３０】
前記ピボット機構は前記支持面組立体の前記プラットホームに旋回可能に結合される他の略三角形の部材を含み、さらに、前記一対のテーブル天板部の各テーブル天板部は、第一または第二の方向に移動されるとき、前記ピボット機構の前記略三角形の部材のうちの一つと係合するよう構成されている、請求項２８に記載のオーバーベッドテーブル。
【請求項３１】
前記一対のテーブル天板部の各テーブル天板部は、前記テーブル天板部のうちの他方が前記第一の方向に移動されるとき、前記第一の方向とは逆の第二の方向に移動可能であるように構成されている、請求項２６に記載のオーバーベッドテーブル。
【請求項３２】
その内部に形成され、サイドレールの上側および下側レール部により画成されるサイドレール開口部を有するサイドレールと、
前記サイドレール開口部内に配置される消毒剤容器とを含み、前記消毒剤容器は、後部壁、前面壁、上側レール部と係合する上部壁、および下側レール部と係合する下部壁を含み、前記消毒剤容器はその内部に消毒薬が入るよう構成される、
患者支持装置のサイドレールシステム。
【請求項３３】
前記消毒剤容器は、前記前面壁に結合され、使用者による作動により前記消毒剤容器内に入っている前記消毒薬を取り出せるように構成されたディスペンサーをさらに含む、請求項３２のサイドレールシステム。
【請求項３４】
前記ディスペンサーは、ばね式レバー、ポンプ、および押しボタンのうちの一つである、請求項３３に記載のサイドレールシステム。
【請求項３５】
前記消毒剤容器の前記上部壁および前記下部壁のそれぞれの断面はＵ字型であり、前記上部壁および前記下部壁のそれぞれの溝を画成する、請求項３２に記載のサイドレールシステム。
【請求項３６】
前記消毒剤容器は、前記容器の前記下部壁に旋回可能に結合されたばね式のタブをさらに含む、請求項３２に記載のサイドレールシステム。
【請求項３７】
前記ばね式のタブは、前記タブが前記容器の前記下部壁から外側に延伸するよう延伸位置に付勢されており、前記ばね式のタブは、前記タブが前記容器の前記下部壁と略同一平面になるような圧縮位置に移動可能である、請求項３６に記載のサイドレールシステム。
【請求項３８】
前記ばね式のタブは、前記サイドレールの前記下側レール部と係合する、請求項３９に記載のサイドレールシステム。
【請求項３９】
ベース組立体と、
前記ベース組立体に結合され、前記ベース組立体に対して上方および下方に移動するように構成された垂直支柱と、
前記垂直支柱に結合され、その上に品物を配置するように構成された支持面組立体と、
消毒剤容器とを含み、
前記支持面組立体は前記垂直支柱と共に前記ベースに対して上方および下方に移動するように構成され、前記支持面組立体は前記テーブル天板の近接端に隣接して配置される第一の収納部および前記テーブル天板の遠位端に隣接して配置される第二の収納部を含み、
前記消毒剤容器は、前記第一および第二の収納部のうちの一つの窪み部の中に配置され、前記消毒剤容器はその内部に消毒薬が入るように構成され、前記消毒剤容器はさらに、前記前面壁に結合され使用者による作動により前記消毒剤容器内に入っている前記消毒薬を取り出せるよう構成されたディスペンサーを含む、
オーバーベッドテーブル。
【請求項４０】
前記窪み部を含む第一および第二の収納部のうちの一つは、前記窪み部の中に前記消毒剤容器をロックするように構成されたロック部をさらに含む、請求項３９に記載のオーバーベッドテーブル。
【請求項４１】
前記窪み部は、幅の狭い下部分を含み、前記消毒剤容器は、前記幅の狭い下部分と締まりばめで嵌合するよう構成される、請求項３９に記載のオーバーベッドテーブル。
【発明の詳細な説明】
【技術分野】
【０００１】
［関連出願への相互参照］
本願は、米国特許法第１１９条（ｅ）項（３５ Ｕ.Ｓ.Ｃ. §１１９（ｅ））に基づき、米国仮出願第６１／０６１，４２０号（２００８年６月１３日出願）を基礎として優先権を主張し、その全文を本明細書に援用する。
【０００２】
［発明の分野］
本開示は、患者支持と共に使用可能な品物支持装置に関するものであり、より具体的には、本発明の一実施態様に係るベッドおよび／またはストレッチャーの上に延ばされるオーバーベッドテーブルに関する。
【背景技術】
【０００３】
テーブルは、病院、長期ケア施設、養護施設、および寝室のベッドに隣接して使用される。こうしたテーブルは、室内の介護者、および／または患者支持面上に横たわっている患者もしくは個人の便宜を図るために使用される。オーバーベッドテーブルは、例えば、患者支持面の上に配置可能で、患者による使用が可能な表面を有する。
【発明の概要】
【発明が解決しようとする課題】
【０００４】
しかし、テーブルのなかには、時には操作が困難なものもある。さらに、テーブルのなかには、ある種のベッドおよび／またはストレッチャーに隣接して配置すること及び共に使用することが困難なものもある。さらに、テーブルのなかには、品物の収納または配置のための容量が非常に限られているものもある。さらに、こうしたテーブルは、時としてかなりの空間を占めることがあるが、その機能性、使い易さ、および利便性、ならびに配置できる場所や、併用しうるベッドおよび／またはストレッチャーは非常に限られている。
【０００５】
手の洗浄および消毒を増やすことで、病気や感染の広がりを著しく減少させることができる。石鹸および消毒剤は、病院の廊下、洗面所、および寝室に設置されていることがある。しかしながら、こうした洗浄・消毒剤は、特に動きが限られている人にとっては、利用しやすい場所にはおかれていないことがよくある。
【０００６】
これらの技術分野においては、さらなる寄与および改善に対する根強いニーズがある。
【課題を解決するための手段】
【０００７】
本開示の一つの態様において、品物の配置用に構成された支持面組立体、および支持面組立体と結合され、着脱式の手指消毒剤（ハンドサニタイザー）容器ユニットを受け容れるように構成された手指消毒剤容器ハウジングを含む品物支持装置（オーバーベッドテーブルなど）が提供されている。
【０００８】
本開示の他の態様において、患者支持装置（例えば、ベッドまたはストレッチャー）上に配置できるように構成され、容器受け部に結合された支持面組立体を含む、洗浄のためのシステムが提供されている。システムは、容器受け部に嵌る大きさおよび／または形状とされた、洗剤が入った着脱式容器を含む。例えば、洗剤は手指消毒剤であってもよく、嵌合は締まりばめかスナップ式の嵌合いにより生じるようにしてもよい。容器は、一部の実施態様においては使い捨てであってもよい。
【０００９】
本開示の他の態様によれば、患者の品物を保持するための支持面および床の上での面の移動を助けるように構成された搬送機構を含む、品物支持装置（オーバーベッドテーブルなど）が提供される。装置はさらに、支持面に所定量の重量がかかったときに、搬送部材の移動に抵抗するよう、搬送部材と摩擦によって係合するよう構成されたロック機構を含む。
【００１０】
本開示のさらなる他の態様において、患者支持装置上に配置可能に構成された支持面組立体、および支持面組立体を昇降させる垂直支持部に隣接して配置可能な静止側部組立体を含む品物支持装置（オーバーベッドテーブルなど）が提供される。垂直支持部は、高さが調節可能で、これにより静止側部組立体に対して支持面組立体の高さが調節できるようになる。
【００１１】
本開示のさらなる他の態様において、患者支持装置上に配置できるように構成され、一対の可動テーブル天板部を有する支持面組立体を具備する、品物支持装置（オーバーベッドテーブルなど）が提供される。この部分は、第一および第二の方向に移動可能である。装置はさらに、第一および第二の可動テーブル天板が同時に同じ方向に移動しないよう構成されたロック機構を備える。この実施態様において、いずれの天板もいずれの方向にも展開できるが、同時に同じ方向に展開することはできない。
【００１２】
本開示の他の態様によれば、患者支持装置上に配置できるように構成されている支持面組立体を備える、品物支持装置（オーバーベッドテーブルなど）が提供されている。支持面組立体には、装置を操作するために使用者が触れるように構成されている少なくとも一つのヒューマン・インターフェース部が含まれる。少なくとも一つのヒューマン・インターフェース部は、例えば金属粒子などの抗菌剤を含む。
【００１３】
本開示のさらなる他の態様によれば、品物の配置用に構成され、患者支持装置上に配置できるように構成されている支持面組立体を備える、品物支持装置（オーバーベッドテーブルなど）が提供されている。支持面組立体は、装置を操作するために使用者が触れるように構成されている少なくとも一つのヒューマン・インターフェース部を含む。少なくとも一つのヒューマン・インターフェース部は、インターフェース部として識別される視覚標識を含む。視覚標識は、例えば、異なる色、点字などの浮き出し文字、またはその組合せとすることができる。
【００１４】
本開示のさらなる他の態様において、品物の配置用に構成され、患者支持装置上に配置できるように構成されている支持面組立体を備える、品物支持装置（オーバーベッドテーブルなど）が提供されている。ミラーを格納する区画が提供されている。ミラーは、多自由度の運動、ならびにミラーがハウジングの内側へおよび外側への回転することを許容する旋回機構に取り付けることができる。
【００１５】
本開示の他の態様によれば、オーバーベッドテーブルは、ベース組立体、ベース組立体に結合され、ベース組立体に対して上方および下方に移動するように構成された垂直支柱、および垂直支柱に結合されてその上に品物を配置するように構成された支持面組立体を含む。オーバーベッドテーブルはさらに、ベース組立体に結合され、支持面組立体に隣接して配置される側部組立体を含む。支持面組立体は、ベースおよび側部組立体の両方に対して、垂直支柱とともに上方および下方に移動するように構成されている。
【００１６】
一つの例示的な実施態様において、側部組立体は、側部支持面および側部支持面に結合された収納部（ビン）を含みうる。別の例示的な実施態様において、実質的に側部組立体の全重量をベース組立体によって支持しうる。さらに別の例示的な実施態様において、側部組立体は、側面、および側面とベース組立体との間に結合されその間に延びた支持柱を含みうる。一例として、支持柱は、垂直支柱と平行であって、それから間隔を置いていてもよい。さらに、一例として、側部組立体は、支持面組立体が上方および下方に移動したとき、ベースに対して垂直方向に静止した状態となるように構成されうる。
【００１７】
他の例示のための実施態様において、支持面組立体は、その上に品物を配置するように構成されたテーブル天板、テーブル天板に結合されてテーブル天板の近接端に隣接して配置される第一の収納部、ならびにテーブル天板に結合されてテーブル天板の遠位端に隣接して配置される第二の収納部を含みうる。一例として、第一の収納部にはその内部に形成された複数の開いた収納受け部を含み、また第二の収納部にはカップホルダーおよび容器を含みうる。さらに、一例として、支持面組立体は、他のテーブル天板を含み、それぞれのテーブル天板が互いに、また第一および第二の収納部に対して可動であるようにしてもよい。
【００１８】
さらなる他の例示のための実施態様において、ベース組立体は概して、第一の細長い足および第一の細長い足から間隔を置いた第二の細長い足を画成するようなＵ字型とすることができる。一例として、第一および第二のそれぞれの細長い足の遠位端は、第一および第二のそれぞれの細長い足の近接端よりも離れた間隔を有することができる。
【００１９】
本開示の他の態様によれば、オーバーベッドテーブルは、ベース組立体、ベース組立体に結合され、ベース組立体に対して上方および下方に移動するように構成された垂直支柱、および垂直支柱に結合され、ベース組立体に対して上方および下方に垂直支柱とともに移動するように構成された支持面組立体を含む。支持面組立体は、その上に品物を配置するように構成されたテーブル天板、テーブル天板の近接端に隣接して配置される第一の収納部、およびテーブル天板の遠位端に隣接して配置される第二の収納部を含む。
【００２０】
一つの例示的な実施態様において、第二の収納部は、カップホルダーを含んでもよく、また第一の収納容器はその内部に手指消毒剤容器ユニットを受けるよう構成された窪み部を含みうる。一例として、第一の収納部は、窪み部内に容器をロックするように構成されたロック部も含みうる。
【００２１】
他の例示的な実施態様において、品物支持装置は、第一の収納部が側部組立体とテーブル天板の間に配置されるように、垂直支柱に隣接して配置される側部組立体も含みうる。
【００２２】
さらに別の例示的な実施態様において、支持面組立体は、抗菌剤を含む少なくとも一つのヒューマン・インターフェース部を含みうる。ヒューマン・インターフェース部は、ハンドル、レバー、ボタン、ラッチ、およびグリップ部のうち少なくとも一つを含むことができ、また抗菌剤は、金属および金属化合物のうち少なくとも一つを含みうる。
【００２３】
さらに、他の例示的な実施態様において、ベース組立体は、少なくとも一つのホイール（車輪）および支持面組立体に所定量の重量がかかったときにホイールをロックするように構成された少なくとも一つのロック機構を含みうる。一例として、ロック機構は、所定量の重量が支持面組立体にかかったときにホイールの移動に抵抗するようホイールの少なくとも二つの側面に摩擦によって係合するよう構成されうる。
【００２４】
他の例示的な実施態様において、第一および第二の収納部のうち一つは、収納位置から使用位置へと移動可能なミラーを含みうる。さらに、一例として、支持面組立体は、他のテーブル天板部と、テーブル天板部が同じ方向に移動しないように構成されたロック機構とを含みうる。一例として、ロック機構は、支持面組立体のプラットホームに旋回可能に結合された概して三角形の部材を含みうる。
【００２５】
さらなる他の例示的な実施態様において、支持面組立体は、装置を操作するために使用者が触れるように構成されている、少なくとも一つのヒューマン・インターフェース部を含みうる。一例として、少なくとも一つのヒューマン・インターフェース部は、ヒューマン・インターフェース部としてそれを識別する視覚標識を含みうる。さらに、一例として、視覚標識は、浮き出し文字および／または点字を含みうる。
【００２６】
他の例示的な実施態様において、支持面組立体は、その内部に着脱式の手指消毒剤容器ユニットを受けるように構成された手指消毒剤容器ハウジングを含みうる。一例として、ハウジングは、第一および第二の収納部のうち一つと一体に形成されたスロットを含むことができ、またその内部に手指消毒剤容器ユニットを受けるように構成することができる。さらに、一例として、ハウジングは、手指消毒剤容器ユニットと接するように構成された少なくとも一つの側壁を含みうる。あるいは、ハウジングは、その内部に摩擦によってユニットを支持するような大きさとされうる。ハウジングは、ユニットをハウジング内にロックするよう構成されたロック部も含みうる。
【００２７】
本開示の別の態様では、オーバーベッドテーブルは、支持面を患者支持装置に隣接して配置するように構成されたベース組立体を含む。支持面組立体は、ベース組立体に結合され、また支持面組立体はその上にある品物を支持するように構成されている。支持面組立体は、ベース組立体が患者支持装置に隣接しているときに患者支持装置の上に配置可能であるように構成されている。一例として、支持面組立体は、一対の移動可能なテーブル天板部と、テーブル天板部のうちの一方が、他方のテーブル天板部が第一の方向に移動した場合に、第一の方向に移動することを防止するように構成されたロック機構とを含む。
【００２８】
一つの例示的な実施態様において、ロック機構はピボット機構を含みうる。さらに、一例として、ピボット機構は、支持面組立体のプラットホームに旋回できるよう結合された概して三角形の部材も含みうる。プラットホームは、一対の移動可能なテーブル天板部の下に配置されうる。一例として、ピボット機構は、支持面組立体のプラットホームに旋回できるように結合された他の概して三角形の部材を含みうる。一対のテーブル天板部のそれぞれのテーブル天板部は、一例として、第一または第二の方向に移動されるとき、ピボット機構の概して三角形の部材のうちの一つに係合するように構成されうる。
【００２９】
他の例示的な実施態様において、一対のテーブル天板部のそれぞれのテーブル天板部は、他方のテーブル天板部が第一の方向に移動したときに、第一の方向と反対の第二の方向に移動可能なように構成されうる。
【００３０】
本開示の他の態様では、オーバーベッドテーブルは、概してＵ字型のベース組立体を画成する第一の細長い足、および第一の細長い足から間隔を置いた第二の細長い足を含むベース組立体を含む。第一および第二のそれぞれの細長い足の遠位端は、第一および第二の細長い足のそれぞれの近接端よりも離れて間隔が置かれている。オーバーベッドテーブルはさらに、ベース組立体に結合され、ベース組立体に対して上方および下方に移動するように構成された垂直支柱、および垂直支柱に結合され、ベース組立体に対して上方および下方に垂直支柱と共に移動するように構成された支持面組立体を含む。支持面組立体は、その上に品物を配置するように構成されたテーブル天板、テーブル天板の近接端に隣接して配置される第一の収納部、およびテーブル天板の遠位端に隣接して配置される第二の収納部を含む。オーバーベッドテーブルはさらに、ベース組立体に結合され、支持面組立体の第一の収納部がテーブル天板および側部組立体の間に配置されるように支持面組立体に隣接して配置される側部組立体を含む。側部組立体は、ベース組立体に対して垂直方向に静止した状態になるよう構成され、側部支持面、および側部支持面とベース組立体に結合されその間に延びる支持柱を含む。
【００３１】
本開示のさらなる他の態様によれば、患者支持装置のサイドレールシステムは、その内部に形成され、サイドレールの上側および下側レール部により画成されるサイドレール開口部を有するサイドレールを含む。サイドレールシステムはさらに、サイドレール開口部内に配置される消毒剤容器を含む。消毒剤容器は、後部壁、前面壁、上側レール部に係合する上部壁、下側レール部に係合する下部壁、および向かい合う側壁を含む。さらに、消毒剤容器は、その内部に消毒薬を含むように構成されている。
【００３２】
一つの例示的な実施態様において、消毒剤容器はさらに前面壁に結合され、使用者の作動により消毒剤容器内に含まれた消毒薬を取り出せるように構成されたディスペンサーを含んでもよい。一例として、ディスペンサーは、ばね式のレバー、ポンプ、および押しボタンのうちの一つであってもよい。
【００３３】
他の例示的な実施態様において、消毒剤容器の上部壁および下部壁のそれぞれの断面は、上部および下部壁のそれぞれの溝を画成するようＵ字型であってもよい。
【００３４】
さらに他の例示的な実施態様において、消毒剤容器は、容器の下部壁に旋回可能に結合されたばね式のタブも含みうる。一例として、タブが容器の下部壁から外側に延びるように、ばね式のタブは延伸位置に付勢されており、またタブが概して容器の下部壁と同一平面になるように、ばね式のタブは圧縮位置まで移動可能である。さらに、一例として、ばね式のタブはサイドレールの下側レール部と係合しうる。
【００３５】
本開示のさらなる他の態様によれば、オーバーベッドテーブルは、ベース組立体、ベース組立体に結合され、ベース組立体に対して上方および下方に移動するように構成された垂直支柱、および垂直支柱に結合され、その上に品物を配置するように構成された支持面組立体を含みうる。支持面組立体は、ベースに対して垂直支柱とともに上方および下方に移動するように構成されている。支持面組立体は、テーブル天板の近接端に隣接して配置される第一の収納部、およびテーブル天板の遠位端に隣接して配置される第二の収納部を含む。オーバーベッドテーブルはさらに、第一および第二の収納部のうち一つの窪み部内に位置する消毒剤容器を含む。消毒剤容器は、その内部に消毒薬を含むように構成されている。消毒剤容器はさらに、前面壁に結合され、使用者による作動により消毒剤容器内に入っている消毒薬を取り出せるように構成されたディスペンサーを含む。
【００３６】
一つの例示的な実施態様において、窪み部を含む第一および第二の収納部のうちの一つはさらに、窪み部の内部に消毒剤容器をロックするように構成されたロック部を含む。他の例示的な実施態様において、窪み部は細めの下部分を含み、またその消毒剤容器が細めの下部分と締まりばめ（ｉｎｔｅｒｆａｃｅ ｆｉｔ）で嵌合するように構成されている。
【００３７】
上述のおよび他の特徴は、単独で、またはその他の特徴（本明細書で説明するものおよび／または請求項で列挙するものなど）との組み合わせで、特許性のある主題を構成しうる。本開示のこうした特徴および原理は、現時点で理解されている実施形態を遂行する最良の態様を例示する以下のさまざまな実施例および実施態様の詳細な説明を考慮することによって、当業者にとって明らかとなるであろう。
【図面の簡単な説明】
【００３８】
【図１】支持面組立体が上昇位置にある状態を示す、本開示のさまざまな原理を図示する一つの例示的な実施態様によるオーバーベッドテーブルの斜視図である。
【図２】支持面組立体が調節された位置または下降位置にある状態を示す、図１の実施態様のオーバーベッドテーブルの斜視図である。
【図３】支持面が下降位置にあり、支持面組立体のテーブル天板が完全な展開位置にある状態を示す、図１の例のオーバーベッドテーブルの斜視図である。
【図４】ベースの一部分がベッドの下にあり、ベッドキャスターの周辺に位置し、支持面組立体が患者による使用のためにベッドの上に位置するように、テーブルをベッドに隣接して滑らせることによって典型的なベッドと噛み合っている、図１の例のオーバーベッドテーブルの斜視図である。
【図５】支持面組立体が上昇位置にあり、手洗浄剤容器が支持面の容器受け部内に嵌っている状態を示す、第二の例示的な実施態様によるオーバーベッドテーブルの斜視図である。
【図６】一例としてのフレーム構成要素を含む、本実施態様のさらなる詳細を示す、図５の実施態様を上方から見た分解斜視図である。
【図７】図５の実施態様の上面図である。
【図８】側部組立体をさらに詳細に示す、図５の例示的な実施態様の背面斜視図である。
【図９】図５の実施態様の側面図である。
【図１０】ベッドのキャスターホイールと噛み合った概してＵ字型のフロアベースを示す、使用の際の図５の実施態様の側面図である。
【図１１】図１１ａ〜図１１ｂは、本開示の追加的な原理による、一つ以上の上記の実施態様またはその他の実施態様と併用されうるロックキャスター組立体の部分断面図である。
【図１２】図１２ａ〜図１２ｃは、いくつかの実施態様による、支持面の窪みハウジング内に容器を固定する方法のさまざまな例を図示したものである。
【図１３】図５の実施態様の支持面の底面図である。
【図１４】本開示の第三の例示的な実施態様による、他のオーバーベッドテーブルの背面斜視図である。
【図１５】支柱の伸縮可能部材が互いに相対的に移動することを可能とする支柱のトラックシステムを示す、図１〜図４のオーバーベッドテーブルの垂直支柱の斜視図である。
【図１６】病院用ベッドのサイドレール、および前記サイドレールのオープンスペース内に位置するような大きさ及び形態とされた容器の斜視図である。
【図１７】図１６のサイドレールと同様の病院用ベッドのサイドレールおよびサイドレールのオープンスペース内に位置する本開示の他の容器の正面図であって、内側の袋が消毒薬で充填され、容器内に配置されることを示す図である。
【図１８】サイドレールのスペース内に容器を維持するようサイドレールと係合する容器のばね式タブを示す、図１７のサイドレールおよび容器の背面図である。
【図１９】容器のばね式タブを示す、図１７および図１８の容器の一部分の下から見た背面斜視図である。
【図２０】図１７〜図１９の容器の本体部の正面斜視図である。
【図２１】サイドレールのオープンスペース内に位置する本開示のサイドレールおよび他の容器を示す、図１８と同様の背面図である。
【発明を実施するための形態】
【００３９】
概して、改良された品物支持装置（例えば、患者用テーブルまたはオーバーベッドテーブルなど）が提供されている。一実施態様において、支持面は、患者、介護者、またはベッド内の人による使用のために品物を配置する目的で構成されている。ベースは支持面組立体と結合され、支持面を例えばベッドなどの患者支持装置に隣接して配置するように構成されている。いくつかの実施態様において、支持面組立体は、支持面組立体に結合され、手指消毒剤、ティッシュ、ワイプ、洗剤、サニタイザー、ローション、抗菌剤等、またはその他のパーソナルケア用品が入っていてもよい着脱式容器ユニットを受けるよう構成された容器受け部またはハウジングを含む。容器および受け部のシステムは、共に係合またはロックしうる。一部の実施態様において、支持面組立体は、側部組立体の一部としての収納部およびテーブル部を含み、テーブル部は、例えば支柱などにより収納部に対して高さにおいて可動である。同じまたは他の実施態様において、支持面組立体は、テーブルを操作するための少なくとも一つのヒューマン・インターフェース部（グリップ、ボタン、レバー、またはハンドルなど）を含むことができ、ヒューマン・インターフェース部は、ヒューマン・インターフェース部の表面上またはその内部に、抗菌作用のある金属粒子などの抗菌剤を含みうる。一部の実施態様において、ベースは、例えばホイールなどの少なくとも一つの搬送部材と、所定量（例えば、人の体重）の重量が支持面組立体上にかかったときに、搬送部材をロックするように構成された少なくとも一つのロック機構とを含みうる。一部の実施態様における支持面は、いずれの方向にも可動な一対の可動テーブル天板部、ならびに第一のセクションがある一つの方向に移動すると、第一のセクションと同じ方向への第二のセクションの移動を制限するように構成されたロック機構から構成される。
【００４０】
さらに、本開示のサイドレールシステムも提供されている。一実施態様において、このサイドレールシステムはサイドレールおよびそれに結合される消毒剤容器を含む。一例として、サイドレールは開口部を含み、消毒剤容器はサイドレールの開口部内に受け容れられ、その中に維持される。消毒剤容器は、その内部に泡状または液体などの消毒薬を含むことができる。あるいは、消毒剤容器は消毒剤ワイプを含みうる。別の実施態様において、消毒剤容器には、容器の前面壁に結合され、使用者が作動させたときにそこから消毒薬を取り出せるように構成されたディスペンサーが含まれる。さらに、一例として、サイドレールの開口部内に消毒剤容器を支持するために、消毒剤容器のばね式のタブを提供しうる。ばね式タブは、容器の下部壁に旋回可能に結合されうる。
【００４１】
ここで、図示した説明のための実施例を参照するに、図１〜図４は、本開示のさまざまな原理を例示した一実施態様による品物支持装置を示す。本実施態様において、品物支持装置は、オーバーベッドテーブル１０の形態である。本開示の原理は、他のテーブル、棚、机、カート、支持装置等とともに使用されうる。テーブル１０は、品物の配置のための支持面組立体１４、側部組立体１６、ならびに、面組立体１４および側部組立体１６と結合し、床１１に対してそれらを支持するベース組立体１２を含む。テーブル１０はさらに、支持面組立体１４を床１１から離間させるために、支持面組立体１４およびベース組立体１２に結合され、その間に配置される垂直柱４０を含む。以下詳述するとおり、垂直柱４０は、支持面組立体１４をベース組立体１２に対して上方および下方に移動させるように構成された伸縮自在コンポーネントを含む。
【００４２】
ベース組立体１２は、床１１付近の配置用の概して水平なフロアベース部３４を含む。単一および複数部分のベース配置を含む、多くの他のベース配置が考えられる。本実施態様において、フロアベース部３４は、概してＵ字型の配置に並べられ、その間で次第に幅の広がるスペース３８を画成する一対の足３６および３７を含む。スペース３８は、ベッドまたはストレッチャーまたは他の患者支持装置のキャスター、支持部、または他の構造を受け容れするように構成され、一対の足３６、３７が部分的にその構造を取り巻くかまたはそれに跨るようになっている。一例として、ベース部３４の幅（あるいは足３６、３７の間の距離）は、足３６、３７に沿って、足３６、３７の近接端（すなわち、垂直柱４０に最も近い足３６、３７の端部）から、足３６、３７の遠位端（すなわち、垂直柱４０から最も遠い足３６、３７の端部）に向かうにつれて広くなる。言い換えれば、足３６、３７の間の距離は、第一および第二のそれぞれの細長い足３６、３７の遠位端の間隔が、第一および第二のそれぞれの細長い足３６、３７の近接端よりも離れているように、足３６、３７の長さに沿って変化する。スペース３８の幅（すなわち、足３６、３７の間の距離）は変化するため、テーブル１０は、各種の異なる床サポートまたはキャスターシステムまたは他の下方構造を有する各種の異なるベッドおよびストレッチャーと噛み合わせて簡単に併用できる。
【００４３】
図１〜図４に示すとおり、ベース部３４はさらに、互いに間隔を置いた２つの腕１７、１９を含む側部３１を含む。図１に示すとおり、側部３１は、ベース部３４の足３６、３７に結合され、概して足３６、３７から離れる方向に延びている。一例として、ベース部３４の側部３１のそれぞれの足３６、３７およびそれぞれの腕１７、１９は、システムの移動を容易にするためのキャスターまたはホイール３９などの搬送機構を含みうる。以下詳述するとおり、これらの搬送機構は荷重によって作動するロック機構を具備しうる。
【００４４】
引き続き図１〜図４に示す例を参照するに、垂直支持部または支柱４０はフロアベース部３４から上昇する。この実施態様において、垂直支柱４０は、それぞれ互いの内部で、また互いに被さって伸縮する一対の伸縮自在チューブ部３３および３５を含む。したがって、支持面組立体１４の昇降は、伸縮自在チューブ部３３および３５によって可能となり、高／低機構により所望の位置にロックされうるが、これについては以下詳述するとおりである。
【００４５】
垂直支柱４０の上部に接続されているのは、品物の支持部を配置するための支持面組立体１４である。本実施例において、支持面組立体１４は、第一のテーブル天板２２および第二のテーブル天板２３（図３に図示）、ならびにテーブル天板２２、２３の端部に隣接した一対の側部収納部７６、７６’を含む。一例として、支持面組立体はテーブル天板２２、２３の近接端および遠位端それぞれに結合された収納部７６、７６’を含む一方で、例えばテーブル天板２２、２３の近接端および遠位端のうち一方のみに配置される収納部を有する支持面組立体を含むことも本開示の範囲内である。
【００４６】
よって、支持面組立体１４は、食品、飲料、読み物、書類、コンピュータ、装置、カルテ、および身の回り品を含む各種の品物を支持し、保管することができる。特に、側部収納部７６は、その中にカップまたは缶が入る大きさのカップホルダー用の窪み２１を含みうる。さらに、側部収納部７６は、部分７６内にある窪みまたはスロット２９に嵌る着脱式のハウジングまたは容器２８を含みうる。以下詳述するとおり、容器２８は、その内部にティッシュまたはワイプを含んで、患者がこうしたワイプに容易にアクセスできるようにしてもよい。また容器２８は、図１６に示す容器８２８、図１７〜図２０に示す容器９２８、および図２１に示す容器１０２８のように、液体または泡状の手指消毒剤をその内部に含めることができ、これについては以下にさらに詳述する。もちろん、容器２８は、他の品物も含んでもよい。
【００４７】
再び図１〜図４を参照するに、さらに、反対側の側部収納部７６’は、品物の保管用の各種のハウジングまたは窪み２１、２６を含みうる。この実施例において、窪み２６は、窪み２６の底から立ち上がっている一つ以上の側壁２７により画成される上部の開いたハウジング８６を構成する。追加的な仕切りまたは壁２７を窪み２６内に配置することもできる。下記に別の実施態様でさらに詳述するとおり、壁２７は、ディスペンサーが窪み２６またはその一部内にスナップ式に嵌るか、しっかりとフィットするように、ディスペンサーまたは容器（図５に示すディスペンサー５６０など）と実質的に一致するか対応する大きさに構成されうる。
【００４８】
側部組立体１６は、垂直支柱４０に隣接して位置する。側部組立体１６は、ヘルスケア用品、カルテ、医療用機器、または身の回り品の収納用の一つ以上の収納棚（ビン）４２のほか、介護者がメモを書いたり、カルテおよびコンピュータを置いたりするのに使用しうる側部組立体テーブル天板４４も含む。側部組立体テーブル天板４４は、テーブル１０を所望の位置に移動させるために使用されうるハンドル４６を含む。側部組立体１６はさらに、ベース部３４の側部３１に結合され、そこから立ち上がっている一対の柱４１を備える。柱４１は、側部組立体テーブル天板４４に結合され、それをベース部３４の上に支持する。柱４１および／または側部組立体テーブル天板４４に接続されているのは、ビン４２である。品物の収納用に他の棚、ポケットおよび容器が側部組立体１６に接続されてもよい。例えば、システムの支持および保護を提供する横側の成型物４３は、一つ以上のポケットまたは区画を含むことができる。
【００４９】
一例として、側部組立体１６の重量は、主に側柱４１およびベース組立体１２により支えられる。言い換えれば、垂直支柱４０は、側部組立体１６の重量を実質的に支持する働きはしない。むしろ、垂直支柱４０は、支持面組立体１４の重量を支持する働きをする。以下にさらに詳述するとおり、支持面組立体１４は、垂直支柱４０と共にベース組立体１２および側部組立体１６に対して上方および下方に移動するように構成されている。側部組立体１６は、支持面組立体１４がそれに対して上方および下方に移動する際、静止した状態のままであるように構成されている。こうして、垂直支柱４０は、垂直支柱４０自体が上方および下方に移動するときに側部組立体１４の重量を支える必要はなく、これについては、以下さらに詳述する。一例として、側部組立体１６は、支持面組立体１４が上方および下方に移動する際に、支持面組立体１４に対して静止した状態のままであるように構成されているが、側部組立体１６および支持面組立体１４を互いに直接結合するためにブラケット（図示せず）を提供することも、本開示の範囲内である。こうした実施態様において、側部組立体１６は、ベース組立体１２に対して支持面組立体１４と共に上方および下方に移動することになる。さらに、側柱４１などの支持側の構造は、必要ではなくなり、側部組立体１６が支持面組立体１４と共に移動することを可能とするよう、除去することもできる。
【００５０】
上述のとおり、支持面組立体１４のテーブル天板２２、２３および側部収納部７６、７６’は、側部組立体１６に対して昇降することができる。特に図２は、オーバーベッドテーブルの上からの斜視図であり、ここで支持面組立体１４の一部は、テーブル１０の標準的な上昇位置よりも自分のベッドが下の位置にある患者が使用するための調節された下降位置で表示されている。側部組立体テーブル天板４４は、たとえば介護者による使用のため、本実施態様では静止位置のままである。垂直支柱４０を作動させるために、レバー２５などのヒューマン・インターフェースが提供されてもよい。使用者は、レバー２５をロック解除位置に上げて、垂直支柱４０のロック機構を解除し、支柱の昇降ができるようにする。次に、レバー２５を放して、垂直支柱４０が所望の高さになったら、その付勢されたロック位置に戻すことができる。
【００５１】
昇降を可能とするために、垂直支柱４０の内側には、レバー２５がロック位置にあるときにしっかりと保持し、レバー２５がロック解除位置にあるときに開放するロック機構がある。機構は、調整可能で、機械的な一方向性ロック用デバイスにより、最低位置と最高位置の間の任意の高さでロックされてもよい。内部の一方向性ロック機構は、ユニットテーブル天板２２／２３が上方向の垂直の力に接すると自由に上昇し、垂直の下方向の力がかかったときに高−低の移動に沿った任意の場所でロックされうるようにしてもよい。図１〜図４に示すとおり、高−低リリースレバー２５は、テーブルの各患者側に位置されてもよく、レバー２５はロック位置に付勢され、例えば約８．９０Ｎ（２lb）以下の力を印加して作動されてもよい。こうして、テーブル天板２２／２３は、リリースレバー２５のうち一つを作動させて、テーブル天板の支柱の端全体に一様に分布させた下方向の垂直の力（例えば、約８９Ｎ（２０lb）以下、支柱の一番上の位置から約２．５４センチ（１インチ）の地点で測定）を印加することにより下降されうる。支持支柱４０の内側に、自由落下の状態が存在しないよう、制御された下降を容易にするために、逆方向の緩衝を持つガススプリング・カウンターバランス（図示せず）を組み込むこともできる。こうして、カウンターバランスおよび一方向性ロックが共働して、少なくともある一定期間の間（例えば、１５秒以上）、自由状態の「擬似的な上方移動」を除去するように機能する。上述のとおり、側部組立体１６の重量は主にベース組立体１２により支持され、垂直支柱４０によって支持されるのではない。したがって、カウンターバランス機構は、側部組立体１６の重量および／または側部組立体１６の上に載せられうる任意の品物の重量を考慮に入れるよう構成される必要がない。むしろ、カウンターバランス機構は、支持面組立体１２の重量に対してのみ作用する必要がある。一実施態様において、支持面組立体１４は、低位置の約７６．２センチメートル（３０インチ）未満から高位置の約１０１．６センチメートル（４０インチ）を上回る位置の間（例えば、約７１．１２センチメートル（約２８インチ）〜約１１６．８センチメートル（約４６インチ）の間の範囲）で移動可能である。
【００５２】
一例として、伸縮自在チューブ部３３および３５を含む垂直支柱４０は、伸縮自在チューブ部３３、３５をそれぞれに対して上方および下方にスライドさせるトラック機構８００も含む。図１５に示すとおり、例えば、第一または上側の組のトラック８１２は、上側のチューブ部３５に結合され、チューブ部３５の内側に位置する。第二または下側の組のトラック８１４は、下側のチューブ部３３に結合され、チューブ部３３の内側に位置する。特に、垂直支柱４０は、下側のチューブ部３３に結合された内柱８１６を含む。第二の組のトラック８１４は、内柱８１６に結合されている。一例として、ベース組立体１２に対する支持面組立体１４の全体的な高さを調節するために使用者によって高／低機構が操作されるとき、下側のチューブ部３３に対する上側のチューブ部３５の上下の運動を案内するために、第二の組のトラック８１４の一部は第一の組のトラック８１２のそれぞれの部材内に受け容れられる。スライダーまたは軸受８１８は、トラック８１２、８１４が互いに対して容易にスライドするように、上側および下側のトラック部８１２、８１４の間に位置する。
【００５３】
再び図２を参照するに、側部収納部７６’は、さらに、側部７６’のハウジングとスライド式に係合するスライド式引き出し５１を含む。宝石、硬貨、財布、およびその他の身の回り品などの患者の品物は、引き出し５１内に保管されうる。図２の実施例において、容器２８は、患者が使用できるように、持ち上げおよび／または回転可能な少なくとも１の回転自由度を持つ、スイベルジョイント５３上にあるミラー５４を含む。容器２８は、本願で説明したもののうち一つ以上などといった、適切な嵌合またはロック機構あるいは配置を使用して、テーブルの窪みにスナップ式に嵌めることができる。一例として、容器２８（これは、上述のとおりミラーおよび／またはティッシュワイプが含みうる）は、オーバーベッドテーブル１０の支持面組立体１４にある窪みまたはスロットにスナップ式に嵌まるように設けられているが、同様に他の病院または医療用設備（例えば、病院用ベッドなどの患者支持装置のサイドレールであるがこれに限定はされないもの）のスロット、スペース、および／または窪みにスナップ式に嵌まるようなサイズで構成される容器を提供することも本開示の範囲内である。
【００５４】
特に、図１６に示すとおり、容器８２８は、病院用ベッド、ストレッチャー等の患者支持装置の例示的なサイドレール８３２のサイドレール開口部またはスペース８３０内に位置するような大きさに構成される。（例示的なサイドレール８３２は、図４の例示的なベッド１００にある一つ以上のサイドレール２４０の代わりに使用されることもでき、したがってサイドレール８３２およびそのベッド１００は図４に関連して本願で説明したように機能しうる。）サイドレール８３２および容器８２８は、サイドレール組立体を画成するよう協働する。図１６に示すとおり、容器８２８は、概して矩形の形状をしており、着脱式の蓋８３８およびその内部に形成されたプッシュダウン式ディスペンサー８４０を有する前面壁８３６、前面壁８３６から離間した後部壁８４２、ならびに前方壁および後部壁８３６、８４２の間に結合されその間に延びる四つの側壁８４４を含む。一例として、四つの側壁８４４のそれぞれは、その内側に溝８４６を画成するために、内側に湾曲しているかまたは断面がＵ字型である。使用の際、容器８２８は、サイドレール８３２のレール部８４８が一つ以上の溝８４６内に受け容れられるように、サイドレール８３２のスペース８３０に圧入されるかまたはスナップ式に嵌まる。図１６に示すとおり、例えば、容器８２８の上部壁８４４は、サイドレール８３２の下側レール部８４８と係合し、一方で容器８２８の下部壁８４４は、サイドレール８３２の下側サイドレール部８４８と係合する。一例として、容器８２８は、泡状または液体の消毒剤などの消毒薬をその内部に収容するように構成され、これは患者または介護者によってディスペンサー８４０を作動することにより供給されうる。また、容器８２８は、例えばワイプなどその他の品物も同様に含むように構成しうることも理解されるべきである。さらに、容器８２８は、ばね式の押し下げレバータイプのディスペンサーと共に図示されているが、例えば、レバーまたは押しボタンなど、その他のディスペンサーも同様に使用できることが理解されるべきである。
【００５５】
こうした実施態様において、容器８２８は、抗菌作用のあるワイプを収容する、ワイプに箱の開口部または蓋を介してアクセスできるプラスチックボックスを備えることができる。ボックスは、サイドレールにある開口部よりも小さくてサイドレール開口部に入れることができる二つの内部片を備えることができる。これらの二つの片は、サイドレール８３２の反対側から一緒にロックでき、一方で、より大きな外側部分（サイドレールにある開口部よりも大きい）がボックス８２８を所定位置に保持する。同様に数多くの他の代替物が考えられる。例えば、ボックス８２８は、挿入部分がサイドレールの開口部よりもわずかに大きい締まりばめなどによって、概ねサイドレール開口部の一部内にぴったりと嵌る大きさおよび構成の挿入部分を有するプラスチックボックスを備えうる。以下、図１７〜図２０に関して説明するとおり、例えば、こうした締まりばめは、容器がサイドレール開口部８３０に入ることを可能とするよう容器に向けて内向きに移動可能で、容器が開口部８３０内に支持されることを可能とするようサイドレール８３２に外向きの力を提供してその後外向きに付勢される、ばね式タブといった、容器にある延伸可能なタブによって提供することもできる。テーブル１０内にディスペンサー５６０を保持するために本願で説明したもの、またはテーブル１０内に容器２８を保持するために本願で説明したものなど、ボックス８２８をサイドレール内に保持するための他の構成も採用することができる。
【００５６】
例えば、図１７〜図２０に本開示の他の容器９２８が示されている。一例として、容器９２８は容器８２８と同様であり、病院用ベッドのサイドレール８３２の開口部またはスペース８３０内に位置するように構成される。図２０に最も良く示されるとおり、容器９２８は、四つの側壁９５２と、側壁９５２の前面に結合された外側リム９５４とを含む、本体９５０を含む。一例として、四つの側壁は、上部壁、下部壁、および間隔を置いた右側と左側の壁を含む。容器９２８の後部壁９５６は、その内部に形成された二つの開口部９５８を含む。もちろん、例えば開口部９５８などのように、後部壁９５６が任意の開口部の概して連続的な表面空隙として形成されることも本開示の範囲内である。一例として、容器９２８の側壁９５２および後部壁９５６は、一緒にその内部に消毒剤を受け容れるスペース９５９を画成する。容器９２８は、後部壁９５６に結合され、そこから消毒剤受け用スペース９５９に向けて外向きに延びた突出部９６０も含む。一例として、突出部９６０は、任意の消毒薬または材料をスペース９５９内に支持する助けとなりうる。容器９５８は、図１６に示す容器８２８の前面壁８３６と同一または同様の前面壁（図示せず）も含む。前面壁８３６と同様、容器９２８の前面壁もまた、その内部に形成された着脱式の蓋および／またはプッシュダウン式ディスペンサーを含む。
【００５７】
ここで図１７を参照するに、容器９２８はサイドレール８３２の開口部８３０内に配置されるように構成される。容器９２８は、容器８２８を参照して上述したものと同一又は同様の方法で、開口部８３０内に配置され、サイドレール８３２に結合しうる。言い換えれば、容器９２８の上部壁９５２は上側レール部８４８と係合し、一方で、容器９２８の下部壁９５２はサイドレール８３２の下側レール部８４８と係合する。図１７に示すとおり、容器９２８は、その内部に液体または泡状の消毒剤（図示せず）が入った袋９７０を含む。一例として、袋９７０は弁９７２を含み、消毒薬がそこから供給される。この弁９７２は、袋９７０がその内部に含まれている消毒薬を供給できるようにするために、容器９２０の前面壁にあるディスペンサーと相互作用するように構成される。一例として、ディスペンサーは、例えば、ばね式のレバー、ポンプ、または押しボタンでありうる。袋９７０の着脱式のキャップ９７２は、弁９７２に結合される。一例として、袋９７０は使い捨ての袋として提供されている。しかし、再充填可能な袋を使用することもできる。容器９２８は、その内部に入っている袋９７０を含むように図示されているが、容器９２８が、その中に衛生タイプのワイプの袋またはボックス（図示せず）を収容することも、本開示の範囲内である。こうしたワイプは、例えば容器９２８の前面壁にある開口部を通して使用者がアクセスできる。
【００５８】
ここで図１８および１９を参照するに、容器９２８はさらに、容器９２８の本体９５０に旋回可能に結合され、延伸位置（図１９に図示）と押下げ位置または圧縮位置（図１８に図示）の間で本体９５０に対して移動可能なばね式タブ９８０を含む。一例として、タブ９８０は容器９２８の下部側壁９５２に旋回可能に結合され、後部壁９５６に隣接して配置されている。使用の際、ばね式タブ９８０は、容器９２８とサイドレール８３２のレール部８４８の間に締まりばめを提供することにより、容器９２８をサイドレール８３２の開口部８３０内に保持するように動作する。特に、ばね式タブ９８０を圧縮位置に移動させて、容器９２８が使用者によってサイドレールの開口部８３０内に配置されるようにすることができる。いったん開放されると、ばね式タブ９８０は延伸位置に向かって付勢され、容器９２８がスペース８３０内に保持されるように、サイドレール８３２の下側レール部８４８に外側に向かう力を提供する。
【００５９】
ここで図２１を参照するに、上述した容器２８、５２８、８２８、および９２８と同様の他の容器１０２８が提供されている。一例として、容器１０２８は、サイドレール８３２のスペースまたは開口部８３０内に受け容れられて維持され、またその内部に液体または泡状の消毒剤および／または消毒剤ワイプを入れることができる。容器１０２８は、スペース８３０内に容器１０２８を維持するためのばね式タブ９８０を含むという点で容器９２８と同様である。容器１０２８はさらに、その内部に形成された容器９２８の開口部９５８ではなく窪み１０５８を含む後部壁１０５６を含む。もちろん、サイドレール８３２のスペース８３０内に受け容れられて維持されるように構成されうる他の形状およびサイズの他の容器を含むことも、本開示の範囲内である。
【００６０】
一例として、図１７〜図２１に図示の容器８２８、９２８、および１０２８は、他のサイドレール（図示せず）とともに使用されるべく、例示的なサイドレール８２８が設けられているが、特定のサイドレールの特定サイズの開口部内に嵌るように特に形成される改造した消毒剤容器を提供することも、本開示の範囲内である。言い換えれば、既存のサイドレールの任意の開口部のサイズや形状を収容できるサイズや形状に改造した消毒剤容器を含むことは、本開示の範囲内である。例えば、消毒剤容器は、概してサイドレールの上部および下側のレールの形状に従った上部および下部の表面を持つように作られうる。こうした改造型消毒剤容器は、そのために作成された特定のサイドレールの開口部内に締まりばめを提供するようなサイズおよび形状とすることもできる。
【００６１】
ここで図３および図６を参照するに、いくつかの実施態様では、テーブル１０の使用可能なスペースを増やすために、二つのテーブル天板が提供されうる。特に図３は、本開示の例示的な一実施態様による支持面組立体１４のテーブル天板２２、２３を完全な展開位置で示したものである。ここで、テーブル天板２２、２３は、互いの上でスライドし、テーブルスペースを増やすことができる。スライドするテーブル天板２２、２３を所定位置で開放およびロックする他のヒューマン・インターフェース・デバイスが提供されうる。本実施態様においては、この目的のためにレバー２４が提供されている。開放位置に上げられると、レバー２４は、二つのテーブル天板２２、２３が互いにスライドすることを可能とする。テーブル天板２２、２３は、互いに独立した第一の方向５０および／または第二の方向５２に水平にスライドできてもよい。テーブル天板２２、２３は、互いに対して概して水平な面を形成し、支持スペースを増やすように、第一の方向５０および／または第二の方向５２にスライドするように構成されている。テーブル天板２２、２３は、延伸したテーブル天板２２、２３の一部が、延伸されないか、いずれかの方向に部分的にのみ延伸される他のテーブル天板２２、２３と重なる範囲で、いずれかの方向５０、５２に延伸可能でありうる。テーブル天板２２、２３のうち少なくとも一つの可動域は、テーブル天板２２、２３のうちの一方の一つの方向５０／５２の動きを、他方が既にその方向５０／５２に延伸されているときに、制限するロック機構（図示せず）により制限されうる。こうした機構の一例について、以下、図１３に関して説明する。一つ以上の延伸位置にテーブル天板をロックするために、回り止めまたは他のロック機構が使用されうる。（例えば、約２２．２４Ｎ（５lb）の分離力によってテーブル天板がロック位置から分離しうる）。
【００６２】
図４は、図１のオーバーベッドテーブルの実施例の上方右側からの斜視図であり、フロアベース部３４がベッド１００の下に来るように、ベッド１００に隣接したテーブル１０をスライドさせることによって、一例である病院用ベッド１００と噛み合ったものである。足３６、３７は、ベッドキャスター１４０の周辺に配置され、支持面組立体１４は患者の使用のためベッド１００の上に位置するように配置されている。ハンドル４６は、テーブル１０を所望の位置に押すために使用されることができ、一方、キャスター３９のホイールは床表面１１を転がる。概してＵ字型（あるいは音叉形）に広がった足３６、３７により、各種のベッドタイプ、ストレッチャータイプ、キャスタータイプ、または他の設備（例えば、イス、流し、医療用機器など）に対する配置が可能となる。一例として、ベース部３４は、垂直支柱４０とは別個の独立した組立体として動作する。ただし、ベース部３４は、垂直支柱４０と一体のものとしても設計されうる。本実施例において、足３６、３７は、ベッド１００の一つのキャスター１４０に跨る。テーブル天板２２、カップホルダー２１、収納容器２８、および窪み２６は、患者が容易にアクセスおよび操作できる。ビン４２およびテーブル天板４４は、患者および／または介護者によって使用されうる。ベッド１００は、マットレス２００の表面２２０に横たわっている患者にとってバリアの役割を果たし、ベッド１００または表面２２０の縁の位置を示し、および／または患者の出入りを補佐する、一つ以上のサイドレール２４０を含みうる。図１６に図示した例示的な容器８２８は、サイドレール２４０と共に使用されうる。サイドレール２４０は、ベッド１００の操作用の制御部を有しうる。例えば、ベッドデッキ３２０の頭部セクション１６０は、制御部により上半身を起こした位置に曲げられうる。デッキ３２０を曲げ、またデッキ３２０を上下に移動させることにより作動する下部フレーム１２０に、モーターを連結することもできる。上述のとおり、サイドレール２４０は、ベッド１００の側部を概ね定めるように作動する。サイドレール２４０は、マットレス２００の表面２２０に横たわった患者にとってバリアとしての役割をする上昇した使用位置と、患者のベッドからの出入りが妨げられないようサイドレール２４０が概してベッド２００の表面２２０に隣接したその下の邪魔にならない位置にある下降した収納位置との間を、上下に移動することができる。
【００６３】
図１〜図４に示すとおり、ヒューマン・インターフェース部（例えば、レバー２４、２５およびハンドル４６など使用者の手による操作、動作、または接触が意図される部分）は、見やすいように識別可能とされうる。例えば、レバー２４、２５は、テーブル１０の残りの部分とは異なる色合いとしうる。明るいまたは簡単に識別可能な色合いを使用して、視覚障害者がこれらの部分を見ることを支援することもできる。さらに、これらのレバー２４、２５およびハンドル４６は、全体または一部を抗菌材料で作られてもよい。例えば、レバー２４、２５およびハンドル４６は、その内部に銀ナノ粒子を組み込み、全体に分散させたプラスチック材料で作られてもよい。ナノ粒子は、すべての寸法を１００ナノメートル未満とすることができ、銀元素、銀イオン、または銀を含有する物質もしくは化合物で作られてもよい。抗菌材料をレバー２４、２５およびハンドル４６に組み込むことの代替策としては、レバー２４、２５およびハンドル４６を部分的または全体的に抗菌剤で出来た材質でコーティングし、塗装し、めっきし、または印刷することが考えられる。例えば、上述の大きさおよび種類の銀ナノ粒子は、塗料、めっき、コーティング、またはインクに組み込むことができ、その材料がコーティング、スプレー、印刷などによりレバー２４、２５およびハンドル４６の外側に塗布される。抗菌剤は、代替物または追加物として他の材料を含むことができる。例えば、銀、金、亜鉛、白金および銅からなる群から選択される金属が使用されうる。金属は、元素もしくはイオンもしくは化合物の形態で、および／またはコロイドの形態で、レバー２４、２５およびハンドル４６の表面または内部に組み込むことができる。テーブル１０の他の構成要素は、金属、プラスチック、ガラス繊維、および／または他の適切な材料から作られうる。
【００６４】
図５〜図１０は、第二の例示的な実施態様によるオーバーベッドテーブル５１０を図示したものである。オーバーベッドテーブル５１０の多くの構成要素は、図１〜図４に図示したオーバーベッドテーブルの構成要素と同様である。図１〜図４の構成要素と同様の構造の構成要素は、最後の２桁が同一の数字を持つが、その前に「５」が付されている。これらの構成要素は、図１〜図４の実施態様と同様の構造および動作でありうるため、これらの構成要素に関して上述した説明については、ここに参照により組み込むこと、および適用することができ、繰り返すことは必要ではない。しかし、さらに例として示すように、本実施態様には追加的な構造が提供されている。
【００６５】
図６に示すとおり、伸縮自在チューブ部または構造５３３、５３５は、テーブルフレーム５７１の窪み部５７３に係合しうる。テーブルフレーム５７１は、側部５７６、５７６’と一体に形成されているテーブルフレーム／プラットホーム５７５を支持しうる。次に、テーブル天板５２２および５２３は、プラットホーム５７５の上に置かれている。一例として、プラットホーム５７５は、図６に示すとおり、プラットホーム５７５の上部表面と一体に形成されている迂回流路５９０を含む。迂回流路５９０は、垂直柱５４０に隣接したプラットホーム５７５の近接端から、垂直柱５４０とは横方向に離れて間隔を置いたプラットホーム５７５の遠位端に向かって、プラットホーム５７５の長さに沿って延びる。迂回流路５９０は、液体（たとえば二つのテーブル天板部５２２、５２３の間に漏れた、こぼれた水または他の飲料）をプラットホーム５７５の中央から外側方向に迂回させるように動作する。言い換えれば、上昇した流路５９０は、液体の流れをプラットホーム５７５の長辺側に迂回させて、その液体がプラットホーム５７５上で蓄積または乾燥せずにプラットホーム５７５から流れ去って外側に迂回されるようにする。
【００６６】
再び図６を参照するに、本実施例において、側部組立体５１４の柱５４１は、ビンフレーム／プラットホーム５７７を有する側部組立体フレーム５７０に接続されている。ビンフレーム／プラットホーム５７７は、ビン５４２およびその一体型のハンドル５４６、および側部組立体テーブル天板５４４をその中に支持し、保持する。下部の成形物５９２は、支持柱５４１に結合し、一体化に形成され、その内部に垂直柱５４０を受け容れるよう構成された通路５９４を含む。
【００６７】
図５、図７、および図８に最も適切に示されるように、容器またはディスペンサー５６０は、一つ以上の壁５２７で形成された窪み５２６内に嵌りうる。この実施例において、容器５６０は、洗剤ディスペンサーを含む。例えば、容器５６０は、石鹸、ローション、ジェル、または手指消毒剤（例えば手指消毒ジェルなど）を供給しうる。他のディスペンサーおよび容器、たとえば、ティッシュまたはワイプのディスペンサー、または容器２８、５２８、８２８などの格納ディスペンサーなどは、窪み５２６内にフィットしうる。
【００６８】
いくつかの実施態様において、容器５６０は窪み５２６内にロックされうる。例えば、窪み５２６は、内部ハウジング５８６を画成する壁５２７を有しうる。容器５６０の外部寸法を内部ハウジング５８６の寸法と厳密に一致させて（あるいはわずかに小さくして）、ぴったりした締まりばめまたは摩擦ばめを与えてその内部の容器５６０を保持することができる。こうした構成の一例を図１２ａに示す。ディスペンサー５６０は、窪み５２６内に配置したときにわずかに内側に曲がるように、実際には柔軟性を持たせることができる。他の実施例として、図１２ｂに示すとおり、ディスペンサー５６０は、一つ以上の壁５２７にある内側に延びた突出部５８０の下に嵌る、一つ以上の外側に延びた突出部５６１を有してもよい。窪み５２６内にディスペンサーをロックするために、多くの他の配置が使用されうる。例えば、ディスペンサー５６０は、窪み５２６の下部分よりも幅の広い下部分などの部分を有しうる。したがって、ディスペンサー５６０が窪み５２６内に配置されると締まりばめが生じ、ディスペンサーの動きに抵抗する。この構成の一例を図１２ｃに示す。ここで、ディスペンサー５６０は、幅の広い下部分５９３を含み、窪み５２６には、締まりばめで嵌合する幅の狭い下部分５９１を含む。ディスペンサー５６０をテーブル５１０の表面または内部に保持するために、他の接合または結合構造が利用できる。
【００６９】
ディスペンサー５６０は、内容物を供給するための上部のノズル機構５９５または他の開口部を含みうる。ディスペンサー５６０は、プラスチック材料で作られてもよく、中が空になったとき、または他の希望に応じて窪み５２６から取り外すことができる。中が空のとき、ディスペンサー５６０は廃棄または再生利用でき、内容物が充填された新しいディスペンサー５６０が窪み５２６内の所定位置に取り付けられる。
【００７０】
図７に示すとおり、一つ以上のヒューマン・インターフェース部は、把持されるべき部分であることを示す他の印を含みうる。この例において、レバー５２４は浮き出し文字５７０を含む。文字５７０は、一例において点字とすることができる。
【００７１】
図１０は、図５の実施態様の側面図である。この図は、ベッド１００のキャスターホイール１４０と噛み合う、概してＵ字型のフロアベース５３４と併用されている、テーブル５１０の例を示す。テーブル天板５２２は、ベッド１００の上部表面２２０の上に延び、フロアベース部５３４はベッドの下部フレーム１２０の下およびキャスター１４０の周辺に延びる。テーブル天板５２２およびディスペンサー５６０および容器５２８は、患者が簡単にアクセスできるように配置されている。テーブル天板５２２は、レバー５２４を用いることにより患者によって延伸させることができ、垂直支持部または支柱５４０は、レバー５２５によってテーブル天板を上下させるよう操作されうる。側部組立体５１６はベッドから離れる方向に面しているため、介護者による使用に理想的である。側部組立体テーブル天板５４４は、搬送用のハンドル５４６や収納用のビン５４２と同様、介護者が使用するように配置されている。本実施例では側部組立体５１６の近くに窪み５２６が配置されており、これによっても介護者によるディスペンサー５６０へのアクセスが容易になっている。したがって、ディスペンサー５６０に手指消毒剤が入っている場合、介護者は簡単にディスペンサーにアクセスして、手を洗浄することができる。ベッド１００は、上述のベッド１００と類似した機能を有することも、または、希望もしくは必要に応じて、追加的な機能もしくはより少ない機能を有することもできる。
【００７２】
図１３は、図５の実施態様の支持面組立体５１４の下側６０２の平面図である。この図は、テーブル天板５２２／５２３が同時に同じ方向に移動しないようにするために使用されうるロック機構の例を提供している。この実施例において、テーブル天板の一方はそれに結合されたサイドトラック６２０／６２０’を含み、他方はサイドトラック６１０／６１０’を含む。テーブル天板は、トラック６１０／６１０’および６２０／６２０’に沿って、対応するトラック（および／または同様の対応する構造）を介して滑らせることによりスライドする。テーブルの両側にあるロック機構６４０／６４０’は、テーブル天板５２２／５２３が同じ方向にスライドするのを防止する。したがって、この例では、ひっくり返ること、および／または、使用者が操作について混乱するリスクが低減できる。この実施例におけるロック機構６４０／６４０’は、テーブル天板５２２／５２３の一つが図５／図１３に示す定位置から外方向に延伸位置（図３の実施態様に示した位置など）まで延びたときに回転する（あるいは「外れる」）ピボット（例えば三角形のブロックなど）である。延びたときに、トラックまたは天板がロック機構６４０／６４０’と接触することで、機構を点６４２／６４２’を中心に回転させ、他のトラック／天板が同じ方向に移動することを防止する。ピボット６４０／６４０’は、その延伸された天板／トラックとの接触によって所定位置に保持され、また定位置に回転して戻らないようにされる。こうして、他の天板もその方向に延伸しようとする試みは、その経路をブロックし、また回転して戻ることを防止するピボットにより阻止される。その方向にまず他の天板が延ばされた場合には、機構６４０／６４０’は反対の方向に回転して、他のトラックがそれと同じ方向に延びないようにブロックする。両方の天板が定位置にスライドするときに、ロック機構を中央の位置に保つために、例えばばね（図示せず）などの付勢機構を使用することもできる。
【００７３】
いくつかの実施態様において、オーバーベッドテーブル１０、５１０のホイール３９、５３９は、重さで作動する自己ロックキャスターとしうる。図１１ａ〜図１１ｂは、かかるロック機構を含むかかるキャスターシステムの例を示す。ここで、ホイール５３９は、ベース部材５３４の覆い５４３内に保持される。ブラケット７１９はホイール５３９に接続され、ブラケット７１９上には、上部支持部７１８で覆われたばね７１６が位置する。ブラケット７１９はホイール５３９に回転可能に固定され、支持部７１８およびばね７１６を通ってブラケット７１９に延びているピン７２０を介してばね７１６および支持部７１８に保持されている。カラーまたはロック機構７１４は、ばね７１６および上部支持部７１８の上に位置し、ホイール３９、５３９に隣接して下方に延びている。テーブル、柱、足、またはその他の支持部のベースでありうる覆い５４３は、内側に突き出した隆起部７１２を含む。ばね７１６は、テーブル１０、５１０に通常の重さがかかったときにホイール５３９とカラー７１４の間の分離を維持するための付勢力を与える。しかし、過度の重さ、または所定量の重さがテーブルにかかったとき（例えば、約１８．４キログラム（４０ポンド）を超えるとき、または一般的な子供または大人の体重を超えるとき）、柱５４１の突出部７１２が支持面７１８を下方に押し、ばね７１６を圧縮し、それによってカラー７１４がホイール５３９に接触するようになる。こうして、ホイール５３９の回転は、カラー７１４とホイール５３９の間の摩擦により抵抗を受ける。一例として、カラー７１４は、ホイール５３９の回転に対する摩擦抵抗を増やすよう、ホイール５３９の複数の表面および／または側面と接触するよう設けられうる。言い換えれば、カラー７４１は、作動したときにホイール５３９の複数の表面または部分に係合または接触するべく、ホイール５３９を完全に囲むことも、および／またはホイール５３９の複数の側面または部分に隣接して配置することもできる。したがって、本実施態様では、テーブルの自動安全ロックが達成されうる。利用されるばねの種類により、どの重さ範囲でブレーキ効果が動作するかを決定することができる。
【００７４】
ここで図１４を参照するに、第三の例示的な実施態様による他のオーバーベッドテーブル７１０が提供されている。オーバーベッドテーブル７１０の多くの構成要素は、図１〜図４に図示したオーバーベッドテーブル１０および図５〜図１０に図示したオーバーベッドテーブル５１０と同様である。図１〜図１０の構成要素と同様の構造の構成要素は、最後の２桁に同じ数字を有するが、その前に「７」が付されている。これらの構成要素は、図１〜図４および図５〜図１０の実施態様と同様の構造や動作を有しうるため、これらの構成要素に関する上記の説明はここに参照として組み込み、適用することができ、繰り返す必要はない。しかし、本実施態様には、さらなる例として追加的な構造が提供されている。図１４に示すとおり、オーバーベッドテーブル７１０の側部組立体７１６は、図１〜図４に示す側部組立体１６と同様である。しかし、側部組立体７１６は、側部組立体１６のハンドル４６は含まない。側部組立体７１６はさらに、フロアベース部７３４の側部７３１に結合され、そこから立ち上がる一対の柱７４１を含む。図１〜図４のオーバーベッドテーブル１０を参照して上述したとおり、柱７４１は側部組立体テーブル天板７６４４に結合され、それを支持する。柱６４１および／または側部組立体テーブル天板７４４に接続されているのは、ビン７４２および格納された上部のビン７４５である。他の棚、ポケットおよび容器は、品物の収納用に側部組立体７１６に接続されうる。例えば、システムの支持および保護を提供する横側の成型物７４３には、一つ以上のポケットまたは区画を含めることができる。
【００７５】
本明細書で説明したさまざまな原理のうち一つ以上を組み込んだ多くの他の実施態様が可能である。一実施態様において、品物の配置用に構成された支持面組立体を備える品物支持装置が提供されている。ベース組立体は、支持面組立体と結合され、支持面組立体を患者支持装置に隣接して配置するように構成されている。手指消毒剤容器ハウジングは、支持面組立体と結合され、着脱式の手指消毒剤容器ユニットを受けるように構成されている。ハウジングは、支持面組立体と一体化することも、一体化しないこともできる。
【００７６】
別の実施態様において、支持面を患者支持装置に隣接して配置するように構成されたベース組立体を備える洗浄のためのシステムが提供されている。支持面組立体はベース組立体に結合され、品物を配置するように構成されている。支持面組立体は、ベース組立体が患者支持装置に隣接するとき、患者支持装置（例えば、ベッドまたはストレッチャー）の上に配置されるように構成されている。支持面組立体は、容器受け部に結合されている。システムには、容器受け部に嵌る大きさとされ、洗剤が入った着脱式容器をさらに含む。
【００７７】
別の実施態様において、支持面を患者支持装置に隣接して配置するように構成されたベース組立体を備える品物支持装置が提供されている。支持面組立体は、ベース組立体に結合され、その上に品物を支持するように構成されている。支持面組立体はさらに、ベース組立体が患者支持装置に隣接しているときに患者支持装置の上に配置可能なように構成されている。搬送部材は、ベース組立体に結合され、床の上でのベース組立体の移動を支援するように構成されている。装置にはさらに、搬送部材と摩擦によって係合し、支持面上に所定量の重量がかかったときに、搬送部材の動きに抵抗するように構成されたロック機構が含まれる。
【００７８】
さらなる実施態様において、支持面を患者支持装置に隣接して配置するように構成されたベース組立体を備える品物支持装置が提供されている。ベース組立体は、垂直支柱を含む。支持面組立体は、ベース組立体に結合され、その上に品物を支持するように構成されている。支持面組立体は、ベース組立体が患者支持装置に隣接しているときに、患者支持装置の上に配置されるように構成されている。装置はさらに、垂直支柱に隣接して配置可能で、品物の収納または配置のために構成された側部組立体を含む。側部組立体は、垂直方向に静止しており、一方で垂直支柱は支持面組立体の高さを調節するために、垂直方向に調節可能である。
【００７９】
さらに別の実施態様において、支持面を患者支持装置に隣接して配置するように構成されたベース組立体を備える品物支持装置が提供されている。支持面組立体は、ベースに結合され、その上に品物を支持するように構成されている。支持面組立体は、ベース組立体が患者支持装置に隣接しているときに、患者支持装置の上に配置可能なように構成されている。支持面組立体は、一対の可動テーブル天板部を含み、第一の可動テーブル天板部は第一の方向に移動可能で、第二の可動テーブル天板部は第二の方向に移動可能である。支持面はさらに、第二の可動テーブル天板部の第二の方向への可動域を、第一の可動テーブル天板部が第一の方向に展開されるまで制限するように構成されている、ロック機構を有する。
【００８０】
別の実施態様によれば、支持面を患者支持装置に隣接して配置するように構成されたベース組立体を備える品物支持装置、ならびにベース組立体に結合された支持面組立体が提供されている。支持面組立体は、ベース組立体が患者支持装置に隣接しているときに、患者支持装置の上に配置されるように構成されている。支持面組立体は、装置を操作するために使用者が触れるように構成されている少なくとも一つのヒューマン・インターフェース部を含む。少なくとも一つのヒューマン・インターフェース部は、金属粒子などの抗菌剤を含む。
【００８１】
さらに別の実施態様において、支持面組立体を患者支持装置に隣接して配置するように構成されたベース組立体を備える品物支持装置が提供されている。支持面組立体は、ベースに結合され、品物を配置するように構成されている。支持面組立体は、ベース組立体が患者支持装置に隣接しているときに、患者支持装置の上に配置されるように構成されている。支持面組立体は、装置を操作するために使用者が触れるように構成されている少なくとも一つのヒューマン・インターフェース部を含む。少なくとも一つのヒューマン・インターフェース部は、インターフェース部として識別される視覚標識を含む。視覚標識は、支持面の残りの部分とは異なる色合い、または例えば点字などの浮き出し文字でありうる。
【００８２】
本開示のさまざまな実施態様および原理についての上述の説明は、例示および説明の目的で提示したものである。これは網羅的であることも、開示内容を開示した正確な形態に限定することも意図していない。多くの変更、修正および変形が当業者にとって明白となりうる。その上、発明の複数の態様や原理について提示してきたが、上記の各種の実施態様に鑑みれば、これらを組み合わせて利用する必要はなく、また発明の態様や原理のさまざまな組み合わせが可能である。したがって、上述の説明は、本明細書で開示または推奨した考えられるすべての変更、修正、態様、組み合わせ、原理、および変形、ならびに請求項により定義された発明の原理、精神および広範な請求範囲に該当するその他すべてを包括することが意図されている。
【００８３】
本発明について、ある一定の望ましい実施態様に関連して詳細に説明したが、添付の請求項で説明および定義する本発明の精神および範囲内において変形および修正が存在する。
【図１】
2011524206.tif 000003
【図２】
2011524206.tif 000004
【図３】
2011524206.tif 000005
【図４】
2011524206.tif 000006
【図５】
2011524206.tif 000007
【図６】
2011524206.tif 000008
【図７】
2011524206.tif 000009
【図８】
2011524206.tif 000010
【図９】
2011524206.tif 000011
【図１０】
2011524206.tif 000012
【図１１Ａ】
2011524206.tif 000013
【図１１Ｂ】
2011524206.tif 000014
【図１２Ａ】
2011524206.tif 000015
【図１２Ｂ】
2011524206.tif 000016
【図１２Ｃ】
2011524206.tif 000017
【図１３】
2011524206.tif 000018
【図１４】
2011524206.tif 000019
【図１５】
2011524206.tif 000020
【図１６】
2011524206.tif 000021
【図１７】
2011524206.tif 000022
【図１８】
2011524206.tif 000023
【図１９】
2011524206.tif 000024
【図２０】
2011524206.tif 000025
【図２１】
2011524206.tif 000026
【国際調査報告】
2011524206.tif 000027